(57)【特許請求の範囲】
【請求項１】
固定部材に形成された円筒状の支持部の内側に滑り軸受を介して回転自在にシャフトが支持され、ステータコア及びこれに巻回されたステータ巻線を有するステータが前記支持部に外嵌固定され、前記ステータが、前記ステータコア及び前記ステータ巻線の間に介在して前記ステータコアと前記ステータ巻線とを絶縁する合成樹脂からなるインシュレータを備え、前記シャフトに固着されたロータの内周に円筒状のロータマグネットが内嵌固定され、前記ロータマグネットが前記ステータコアの外周に対向して配置されて成るモータにおいて、
前記ロータマグネットの前記固定部材に対峙する面側に対向配置されて前記ロータマグネットに対して前記シャフトの軸方向への磁気吸引力を発生する磁性材から成る磁気吸引力発生部材を備え、前記磁気吸引発生部材は、基部と、前記基部の外周部が下方に屈曲されて形成された屈曲部を有し、
前記磁気吸引力発生部材は、前記インシュレータに形成された被係止部に係止するための係止部とを備えていることによって、前記インシュレータに固定されていることを特徴とするモータ。
【請求項２】
前記被係止部が、前記インシュレータに前記固定部材方向に延出して形成された延出片から成ることを特徴とする請求項１に記載のモータ。
【請求項３】
前記延出片が、先端に向かうに連れて円周方向の幅が狭く形成され、前記係止部が、前記延出片を挟持して前記磁気吸引力発生部材を前記インシュレータに係止することを特徴とする請求項２に記載のモータ。
【請求項４】
前記インシュレータの外周面側に、前記磁気吸引力発生部材の当接により前記磁気吸引力発生部材の前記軸方向への移動を阻止する突起、または、前記磁気吸引力発生部材の嵌挿により前記磁気吸引力発生部材の前記軸方向への移動を阻止する円周方向への凹溝が形成されていることを特徴とする請求項１ないし３のいずれかに記載のモータ。
【請求項５】
固定部材に形成された円筒状の支持部の内側に滑り軸受を介して回転自在にシャフトが支持され、ステータコア及びこれに巻回されたステータ巻線を有するステータが前記支持部に外嵌固定され、前記シャフトに固着されたロータの内周に円筒状のロータマグネットが内嵌固定され、前記ロータマグネットが前記ステータコアの外周に対向して配置されて成るモータにおいて、
前記ロータマグネットに対して前記シャフトの軸方向への磁気吸引力を発生する磁性材から成る磁気吸引力発生部材を、前記ロータマグネットの前記固定部材に対峙する面側に対向配置し、前記磁気吸引力発生部材が、基部と、前記基部の内周側に形成されて前記ステータに係止する係止部と、前記基部の外周側に前記固定部材の方向に屈曲して形成され前記固定部材に当接する屈曲部とを備え、前記基部と前記屈曲部とが、それぞれ前記ステータと前記固定部材とに当接する支持状態によって前記磁気吸引力発生部材が固定されていることを特徴とするモータ。
【請求項６】
前記磁気吸引力発生部材と前記固定部材との間に固定して配設され前記ステータ巻線に通電する回路部品が実装された回路基板を備え、前記磁気吸引力発生部材が、前記ステータに係止しつつ前記ステータと前記回路基板とに支持されることにより固定されていることを特徴とする請求項５に記載のモータ。
【請求項７】
前記ステータが、前記ステータコア及び前記ステータ巻線の間に介在して前記ステータコアと前記ステータ巻線とを絶縁する合成樹脂から成るインシュレータを備え、前記インシュレータが前記固定部材方向に延出して形成された延出片を備え、前記係止部が、前記延出片に係止することを特徴とする請求項５ないし６のいずれかに記載のモータ。
【請求項８】
前記磁気吸引力発生部材が、リング状を有することを特徴とする請求項１ないし７のいずれかに記載のモータ。
【請求項９】
前記磁気吸引力発生部材が、略円弧状を有することを特徴とする請求項１ないし７のいずれかに記載のモータ。
【発明の詳細な説明】
【０００１】
【発明の属する技術分野】
この発明は、ＯＡ機器に用いられるファンモータ等の滑り軸受を備えたモータに関する。
【０００２】
【従来の技術】
例えば、ＯＡ機器における電子部品等の冷却に使用されるファンモータは、固定部材である樹脂製のモータハウジングに一体成型により形成された円筒状の支持部の内側に、滑り軸受を介して回転自在にシャフトが支持され、ステータコア及びこれに巻回されたステータ巻線を有するステータが支持部に外嵌固定され、ロータがシャフトに固着され、このロータの外周には複数のブレードが一体的に形成されると共に、内周には円筒状の駆動用のロータマグネットが内嵌固定され、ロータマグネットがステータコアの外周に対向して配置されて構成されている。
【０００３】
このような構成において、滑り軸受により支持されるシャフトは、その両端を転がり軸受により支持される場合に比べて振れ回りが生じ易いため、シャフトと共に回転するロータに対して何らかの手段により軸線方向にスラスト力を作用させることが行われている。
【０００４】
具体的には、ステータとロータマグネットの磁気センタを軸方向にずらせて配置することにより、ロータに対して磁力によるスラスト力を作用させる手法があるが、この場合、磁気センタをずらせることにより、ロータマグネットの磁界の分散による磁気効率の低下を招き、電磁音が発生するという問題点があった。
【０００５】
そこで、例えば特開平７−１４７７６１号公報に記載のように、シャフトの周囲に円筒状マグネットを配置してシャフトに磁力を作用させてスラスト力を発生させ、或いは、シャフトに螺旋溝を形成し、この螺旋溝を取り囲むスリーブ軸受との間に動圧を作用させてシャフトにスラスト力を働かせることが考えられている。また、ロータに駆動用のロータマグネットとは別にマグネットを設け、これを磁気吸引する磁性板とモータハウジングに設け、両部材間に作用する磁力によりスラスト力を作用させることも考えられている。
【０００６】
【発明が解決しようとする課題】
しかし、シャフトに溝を形成する場合、シャフトの加工が必要になって煩雑になる。一方、磁気吸引する部材を設ける場合には、これのための部品点数が増えることや取付作業性が悪いという問題点があった。
【０００７】
ところで、上記した特開平７−１４７７６１号公報に記載の手段とは別に、ロータにスラスト力を作用させる手段として、例えば駆動用のロータマグネットが軸方向に対向するモータハウジングに磁性材を固定し、ロータマグネットにスラスト力を作用させることも考えられている。この手段は、既存のロータマグネットを利用し、磁性材の追加だけで済むため、部品の追加を最小限にできるため都合がよい。しかしながら、磁性材は接着剤によりモータハウジングに固定されるため、これの取付作業性が悪いという問題があった。
【０００８】
そこで、本発明は、煩雑な取付作業を行うこともなく、簡単な構成により、ロータマグネットに十分なスラスト力を作用させることができ、回転性能の優れたモータを提供することを目的とする。
【０００９】
【課題を解決するための手段】
上記した目的を達成するために、本発明にかかるモータは、前記ロータマグネットの前記固定部材に対峙する面側に対向配置されて前記ロータマグネットに対して前記シャフトの軸方向への磁気吸引力を発生する磁性材から成る磁気吸引力発生部材を備え、前記磁気吸引力発生部材が前記ステータに係止して固定されていることを特徴としている。
【００１０】
このような構成によれば、磁気吸引力発生部材をステータに係止、固定する構造であるため、磁気吸引力発生部材の取り付けに際して、従来の如く接着剤を用いる場合のような煩雑な取付作業が不要になる。
【００１１】
磁気吸引力発生部材とは、ロータマグネットの固定部材との対向面側に配置することにより、ロータマグネットに対してシャフトの軸方向への磁気吸引力であるスラスト力を作用させ、ロータマグネットと共に回転するシャフトを安定支持し、振れ回りを抑制するための部材である。
【００１２】
また、本発明は、前記ステータが、前記ステータコア及び前記ステータ巻線の間に介在して前記ステータコアと前記ステータ巻線とを絶縁する合成樹脂から成るインシュレータを備え、前記インシュレータに前記磁気吸引力発生部材が係止して固定されていることを特徴としている。
【００１３】
このような構成によれば、インシュレータを利用して磁気吸引力発生部材を係止、固定することがきるため、係止のための特別な部材、部品を必要とすることもなく、簡単な構成により、シャフトの軸方向への十分なスラスト力をロータマグネットに作用させることができる。また、合成樹脂から成るインシュレータ測統制を有するため、係止すると適宜変形し、容易に係止構造をとることができる。
【００１４】
また、本発明は、前記インシュレータに形成された被係止部と、前記磁気吸引力発生部材に形成されて前記被係止部に係止する係止部とを備えていることを特徴としている。
【００１５】
このような構成によれば、例えばインシュレータの特定部位に被係止部を形成すると共に、磁気吸引力発生部材の特定部位に係止部を形成しておくことで、磁気吸引力発生部材を係止する際に容易に位置合わせすることができて作業の簡素化を図ることができ、しかもインシュレータが合成樹脂製であるため、被係止部を一体成型で形成することが可能になり、被係止部を容易に係止することができる。
【００１６】
また、本発明は、前記被係止部が、前記インシュレータに前記固定部材方向に延出して形成された延出片から成ることを特徴としている。このような構成によれば、合成樹脂製のインシュレータに形成された延出片に、磁性材から成る磁気吸引力発生部材を係止するため、延出片の可撓性によって磁気吸引力発生部材を簡単かつ強固に係止することができる。
【００１７】
また、本発明は、前記延出片が、先端に向かうに連れて円周方向の幅が狭く形成され、前記係止部が、前記延出片を挟持して前記磁気吸引力発生部材を前記インシュレータに係止することを特徴としている。
【００１８】
このような構成によれば、延出片の幅が先端に向かうに連れて狭くなるように形成されているため、延出片を磁気吸引力発生部材の係止部により強固に挟持でき、シャフトの回転方向及び軸方向への磁気吸引力発生部材の移動を簡単な構成でより確実に防止することができる。
【００１９】
このとき、磁気吸引力発生部材の係止部として、延出片を両側から挟持する一対の突部や、磁気吸引力発生部材に形成された凹状切欠部であることが好ましく、こうすれば、磁気吸引力発生部材に形成された係止部としての両突部の間隔や凹状切欠部の幅が一定であるのに対し、延出片の幅が先端に向かうに連れて狭くなるように形成されているため、両突部間に延出片を挟持し、または、凹状切欠部を延出片に嵌挿する際に強固に挟持でき、シャフトの回転方向及び軸方向への磁気吸引力発生部材の移動を簡単な構成でより確実に防止することができる。
【００２０】
また、本発明は、前記インシュレータの外周面側に、前記磁気吸引力発生部材の当接により前記磁気吸引力発生部材の前記軸方向への移動を阻止する突起、または、前記磁気吸引力発生部材の嵌挿により前記磁気吸引力発生部材の前記軸方向への移動を阻止する円周方向への凹溝が形成されていることを特徴としている。
【００２１】
このような構成によれば、インシュレータの外周面側に突起または凹溝を形成したため、この突起に磁気吸引力発生部材が当接し、或いは凹溝に磁気吸引力発生部材が嵌挿することで、簡単な構成によりシャフトの軸方向への磁気吸引力発生部材の移動を確実に防止することができる。
【００２２】
また、本発明は、前記ロータマグネットに対して前記シャフトの軸方向への磁気吸引力を発生する磁性材から成る磁気吸引力発生部材を、前記ロータマグネットの前記固定部材に対峙する面側に対向配置し、前記磁気吸引力発生部材が、前記ステータに係止しつつ前記ステータと前記固定部材とに支持されることにより固定されていることを特徴としている。
【００２３】
このような構成によれば、ステータに係止することで磁気吸引力発生部材の回転方向への移動を防止することができ、ステータと固定部材との支持により磁気吸引力発生部材の軸方向への移動を防止することができ、従来の如く接着剤を用いる場合のような煩雑な取付作業を行うことなく、磁気吸引力発生部材をよりいっそう強固に固定することができる。
【００２４】
また、本発明は、前記磁気吸引力発生部材が、基部と、前記基部の内周側に形成されて前記ステータに係止する係止部と、前記基部の外周側に前記固定部材の方向に屈曲して形成され前記固定部材に当接する屈曲部とを備え、前記基部と前記屈曲部とが、それぞれ前記ステータと前記固定部材とに当接する支持状態によって前記磁気吸引力発生部材が固定されていることを特徴としている。
【００２５】
このような構成によれば、磁気吸引力発生部材の係止部をステータに係止すると共に、磁気吸引力発生部材の基部と屈曲部を、各々ステータと固定部材に当接する支持状態によって磁気吸引力発生部材を固定する構造であるため、磁気吸引力発生部材の取り付けに際して接着剤を用いる場合のような煩雑な取付作業が不要になる。
【００２６】
このとき、磁気吸引力発生部材の係止部は、少なくともシャフトの回転方向への磁気吸引力発生部材の移動を防止できればよく、係止部の構造は比較的簡単で済む。
【００２７】
また、本発明は、前記磁気吸引力発生部材と前記固定部材との間に固定して配設され前記ステータ巻線に通電する回路部品が実装された回路基板を備え、前記磁気吸引力発生部材が、前記ステータに係止しつつ前記ステータと前記回路基板とに支持されることにより固定されていることを特徴としている。
【００２８】
このような構成によれば、固定部材に代わり、磁気吸引力発生部材がステータと回路基板とに支持される場合であっても、シャフトの回転方向及び軸方向への磁気吸引力発生部材の移動を防止することができる。
【００２９】
また、本発明は、前記ステータが、前記ステータコア及び前記ステータ巻線の間に介在して前記ステータコアと前記ステータ巻線とを絶縁する合成樹脂から成るインシュレータを備え、前記インシュレータが前記固定部材方向に延出して形成された延出片を備え、前記係止部が、前記延出片に係止することを特徴としている。
【００３０】
このような構成によれば、インシュレータを利用して磁気吸引力発生部材の係止部を係止することができるため、係止のための特別な部材、部品を必要とすることなく、簡単な構成により、シャフトの軸方向への十分なスラスト力をロータマグネットに作用させることができる。
【００３１】
また、本発明は、前記磁気吸引力発生部材が、リング状を有することを特徴としている。このような構成によれば、ロータマグネット全体にわたって、シャフトの軸方向へのスラスト力を作用させることができる。
【００３２】
また、本発明は、前記磁気吸引力発生部材が、略円弧状を有することを特徴としている。このような構成によれば、磁気吸引力発生部材を略円弧状にすることで、モータの仕様上、ロータマグネットの一部領域にのみ、シャフトの軸方向へのスラスト力を作用させる構造をとる場合に、簡単な構成で容易に対応することができる。
【００３３】
【発明の実施の形態】
（第１実施形態）この発明にかかるモータを、ファンモータに適用した場合の第１実施形態について図１ないし図６を参照して説明する。但し、図１は切断正面図、図２は一部の底面図、図３及び図４はステータの底面図及び斜視図、図５及び図６はスラストワッシャの平面図及び切断正面図である。尚、図４はステータ及びその周辺部の一部のみを示している。
【００３４】
図１ないし図６に示すように、固定部材である樹脂製のモータハウジング１の矩形の筒状体略中央部に、複数のアームによって支持される円筒状の支持部２が一体成型により形成され、この支持部２の内側に滑り軸受３を介してシャフト４が回転自在に支持され、支持部２の外側には、ステータ６が外嵌固定されている。支持部２の外周面下部には、複数のアームを連結するフランジ部が広がっている。滑り軸受３は、例えば含油性の多孔質金属から成る。
【００３５】
このステータ６は、特に図４に示すように、ステータコア６ａと、このステータコア６ａに巻回されたステータ巻線６ｂと、ステータコア６ａとステータ巻線６ｂとの間に介在して両者を電気的に絶縁する上下２分割された合成樹脂から成る上、下インシュレータ６ｃ，６ｄを備えている。ここで、ステータコア６ａは、珪素鋼板を積層して成り、環状部とこの環状部の外周面から放射状に伸びる複数の歯部（図４では４個のうち２個のみを示す）とから成る。また、上、下インシュレータ６ｃ，６ｄは、歯部の外周面及び環状部の内周面以外を覆うものである。
【００３６】
この上インシュレータ６ｃの内周側には、後述するロータハウジングの一部に係合してシャフト４の抜けを防止するための断面鉤状のストッパ部７と、支持部２の上端部とを挟持する断面コ字状を有する挟持部７ａが樹脂の一体成型によって形成されている。
【００３７】
また、下インシュレータ６ｄの内周には下方に延びた円筒部８が形成され、特に図４に示されるように、各歯部に対応する下インシュレータ６ｄの外周には下方に延びた４個の延出片９がそれぞれ形成され、これら円筒部８及び各延出片９は樹脂の一体成型によって形成されている。ここで、各延出片９は、ステータ６の４個の歯部に対応する位置に形成され、中心角９０゜ごとの間隔で形成されている。更に、隣接する各歯部間に対応する上、下インシュレータ６ｃ，６ｄには、突出部（ここでは、４個）が形成され、この突出部を貫通する端子ピン１３（ここでは、４個の突出部のうち、３個の突出部にそれぞれ端子ピンがある）が設けられている。
【００３８】
そして、ステータ巻線６ｂに通電するための回路部品が実装された円板状の回路基板１０は、これに形成された円形孔１１に円筒部８が嵌入して固定されるようになっている。このとき、回路基板１０は、ステータ６とモータハウジング１との間に配置され、回路基板１０に各延出片９が当接することでステータ６と回路基板１０との所定の間隔が保たれている。
【００３９】
端子ピン１３は上、下インシュレータ６ｃ，６ｄの突出部の上側及び下側から突出され、各端子ピン１３の上端部にステータ巻線６ｂがからげられ、各端子ピン１３の下端部が回路基板１０に透設された端子ピン用の透孔１４にそれぞれ遊通され、回路基板１０の裏面に形成された配線パターンに各端子ピン１３が半田付けされ、各端子ピン１３を介してステータ巻線６ｂと回路基板１０との電気的導通が確保されている。各端子ピン１３と回路基板１０とが半田付けされることで、回路基板１０はステータ６にいっそう安定して保持される。更に、ロータマグネット２１と回路基板１０との間には、後述するスラストワッシャが配設される。
【００４０】
ところで、シャフト４の下方位置には、シャフト４を摺動自在に受けるスラストチップ１６が設けられており、このスラストチップ１６は、例えば合成樹脂から成り、モータハウジング１の支持部２の底部に形成された凹窪部に嵌入されている。
【００４１】
また、シャフト４の上端部には、樹脂製のロータ１８が射出成形により取り付けられている。このとき、ロータ１８の円板状を成す基部１８ａの下面中央部に円筒状嵌入部１９が形成され、ロータ１８の基部１８ａの周縁部に下方に垂下して一体的に形成された垂下部１８ｂの外周には、ファンを構成する複数個のブレード２２が一体的に形成されている。更に、この垂下部１８ｂの内側に磁性材から成るロータヨーク２０が内嵌され、このロータヨーク２０の内側に円筒状のロータマグネット２１が嵌入されて固定される。このようなシャフト４を滑り軸受３に挿入すると、ロータマグネット２１がステータ６の外周に互いの磁気センタを一致させた状態で対向配置される。ここで、磁気センタを一致させるとは、ロータマグネット２１及びステータ６の各々の磁界の軸方向の中心を一致させることをいう。
【００４２】
また、ロータマグネット２１に軸方向に対向する回路基板１０には、磁気吸引力発生部材である磁性材から成るスラストワッシャ２４が配設されている。このスラストワッシャ２４は、プレス加工により成形されたもので、特に図５及び図６に示されるように、リング状のワッシャ基部２４ａと、このワッシャ基部２４ａの外周部が下方に屈曲されて形成された屈曲部２４ｂとにより構成されている。
【００４３】
そして、このワッシャ基部２４ａの内周には中心角９０゜ごとの間隔で一対ずつの突部２６が形成され、特に図２及び図４（図４では、スラストワッシャ２４は一部のみ１点鎖線で示す）に示されるように、一対ずつの突部２６間に下インシュレータ６ｄの各延出片９それぞれが挟持されてスラストワッシャ２４が下インシュレータ６ｄに係止されている。図５中の２７は回路基板１０に配設されたホール素子を回避するための切欠部である。ここで、各延出片９が本発明における被係止部に相当し、各突部２６が本発明における係止部に相当する。
【００４４】
しかも、一対の突部２６がステータコア６ａの歯部の下面を覆う下インシュレータ６ｄの下面部に当接し、屈曲部２４ｂが回路基板１０に当接している。スラストワッシャ２４の高さ寸法は、回路基板１０と下インシュレータ６ｄの下面部との距離と同一か、または幾分大きく設定されているため、スラストワッシャ２４は、ステータ６と回路基板１０とによって軸方向への押圧力を受けている。スラストワッシャ２４は屈曲部２４ｂによりワッシャ基部２４ａが回路基板１０から上方に位置する形状であるので、その押圧力によりワッシャ基部２４ａが下方に幾分撓むようになり、支持状態が安定する。
【００４５】
上記したように各突部２６間に延出片９を挟持することによるスラストワッシャ２４の下インシュレータ６ｄとの係止と、スラストワッシャ２４に対するステータ６と回路基板１０より作用する押圧力とによる支持状態により、接着剤等を使用することなくスラストワッシャ２４がシャフト４の回転方向及び軸方向へ移動することなく固定されている。このスラストワッシャ２４により、ロータマグネット２１に対してシャフト４の軸方向への磁気吸引力であるスラスト力が、シャフト４に作用する。それ故に、ロータマグネット２１とステータ６との磁気センタを一致させたまま作用され、シャフト４が振れ回ることなく円滑に回転可能に支持されるのである。
【００４６】
ここで、スラストワッシャ２４における屈曲部２４ｂは、スラストワッシャ２４の支持状態を良好にする効果があるが、これ以外にも屈曲部２４ｂの屈曲量を変更してワッシャ基部２４ａとロータマグネット２１との距離を調節して磁気吸引力の調整を図ることができる。それ故に、シャフト４の安定回転に必要な所定のスラスト力に応じて、ロータマグネット２１とスラストワッシャ２４の最適な距離が決定されるので、屈曲部２４ｂの屈曲量は適宜変更するとよい。
【００４７】
本実施形態におけるファンモータの主な組立方法は、予め組み立てを済ませたステータ６においてステータ巻線６ｂを端子ピン１３の上端部にからげる。そして、下インシュレータ６ｄの延出片９に各突部２６を係止させてスラストワッシャ２４をステータ６に仮組みする。これに回路基板１０の円形孔１１を下インシュレータ６ｄの円筒部８に嵌入し、回路基板１０の裏面に突出する端子ピン１３を半田付する。これにより、ステータ６と回路基板１０とが一体化されると共に、スラストワッシャ２４の屈曲部２４ｂが回路基板１０に当接し、各突部２６は下インシュレータ６ｄに当接し、スラストワッシャ２４はシャフト４の回転方向及び軸方向へ移動することなく固定される。
【００４８】
この組立体のステータ部分を、予め滑り軸受３が装着されたモータハウジング１の支持部２に嵌入して、支持部２の外周面の段部に位置決めすると共に、支持部２の上端部を上インシュレータ６ｃの挟持部７ａが挟持することで、モータハウジング１に取付固定され、固定側の組立体が完了する。一方、シャフト４，ロータ１８，ロータヨーク２０及びロータマグネット２１から成る回転側の組立体におけるシャフト４を滑り軸受３に挿入すると、ストッパ部７を押しのけて円筒状嵌入部１９が下方に位置し、同時にスラストワッシャ２４とロータマグネット２１との間に作用する磁気吸引力により、シャフト４が滑り軸受３から抜け出ないようになり、ファンモータの組立が完了する。
【００４９】
従って、第１実施形態によれば、スラストワッシャ２４の両突部２６間に延出片９を挟持してスラストワッシャ２４を延出片９に係止すると共に、ステータ６と回路基板１０とから作用する押圧力によりスラストワッシャ２４を固定するため、スラストワッシャ２４の取り付けに際して従来の如く接着剤を用いる場合のような煩雑な取付作業が不要になり、簡単な構成により、シャフト４の回転方向及び軸方向へのスラストワッシャ２４の移動を防止することができる。このようにして、従来のような磁気効率の低下や電磁音の発生もなく、優れた回転性能を有するファンモータを得ることができる。
【００５０】
また、スラストワッシャ２４は、ステータ６と回路基板１０とから作用する押圧力により軸方向に移動が阻止されるので、スラストワッシャ２４の係止部である各突部２６は、少なくともシャフト４の回転方向へのスラストワッシャ２４の移動を防止できればよく、スラストワッシャ２４をステータ６に係止するための構造は、上記した突部２６のように簡単なもので済み、容易に加工することができる。
【００５１】
（第２実施形態）この発明の第２実施形態について図７ないし図９を参照して説明する。但し、図７はステータの斜視図、図８はスラストワッシャの斜視図、図９は一部の斜視図である。尚、図７ないし図９において、図１ないし図６と同一符号は同一もしくは相当するものを示す。
【００５２】
本実施形態も本発明をファンモータに適用した例であり、モータの基本的な構成は上記した第１実施形態と同じであるが、スラストワッシャ２４がステータ６に対してシャフト４の回転方向及び軸方向へ移動しないように係止する点が大きく相違する。即ち、本実施形態におけるファンモータでは、図７及び図９に示すように、下インシュレータ６ｄに形成された延出片３０が先端、つまり下方に向かうにつれて、円周方向への幅が次第に狭くなっていることである。
【００５３】
このように、延出片３０の幅を先端に向かうに連れて狭くすると、図８に示すようなスラストワッシャ２４の一対の突部２６間に延出片３０を挟持する際に、スラストワッシャ２４を延出片の幅が広がる上方に相対的に押し上げていくことで、一対の突部２６が可撓性を有する延出片３０に噛み込むようになって、挟持状態が強固になる。
【００５４】
従って、第２実施形態によれば、従来のように接着剤を用いることなく、スラストワッシャ２４を容易にかつ強固に固定できるのは勿論であり、上記した第１実施形態のように、スラストワッシャ２４をステータ６と回路基板１０とによる押圧力を作用させなくても、両突部２６間に延出片３０を挟持するだけでシャフト４の回転方向及び軸方向へのスラストワッシャ２４の移動を防止することができる。つまり、スラストワッシャ２４のみでステータ６に取り付けが完了する。
【００５５】
そして、この場合におけるスラストワッシャ２４は、屈曲部２４ｂのないワッシャ基部２４ａのみから成る平板状の簡単な構成であっても構わない。
【００５６】
しかし、屈曲部２４ｂがあることで、スラストワッシャ２４をステータ６に取り付ける際に、例えば所定の基台にスラストワッシャ２４を載置すると、ワッシャ基部２４ａが基台から一定の間隔をおいて位置し、ステータ６を降下させると、スラストワッシャ２４の取り付けが簡単にできる。
【００５７】
なお、この発明における第２実施形態の変形例として、係止部であるスラストワッシャ２４の突部２６に代えて、図１０に示すように、スラストワッシャ２４のワッシャ基部２４ａの内周側に中心角９０゜ごとの間隔で凹状切欠部３２を形成し、これら各凹状切欠部３２に先端に向かうに連れて幅の狭くなる延出片３０をそれぞれ嵌挿し、スラストワッシャ２４を下インシュレータ６ｄに係止するようにしてもよい。また、図１０のスラストワッシャ２４を、第１実施形態に変形例として適用してもよい。
【００５８】
また、第１実施形態の変形例として図１１及び図１２に示すように、各延出片９の外周面に円周方向の凹溝３４を形成し、スラストワッシャ２４のワッシャ基部２４ａの内周縁をこの凹溝３４に嵌挿しつつ両突部２６間に延出片９を挟持してもよい。この場合、延出片９の凹溝３４の端面とワッシャ基部２４ａとが当接し、同様の押圧力が作用する。更に、第２実施形態における延出片３０にもこの凹溝３４を形成し、両突部２６による延出片３０の挟持と凹溝３４へのワッシャ基部２４ａの嵌挿を併用してスラストワッシャ２４を下インシュレータ６ｄに強固に係止するようにしてもよい。
【００５９】
更に、第１、２実施形態の異なる変形例として、図１３に示すように、上記した凹溝３４に代えて、延出片９，３０の外周面にスラストワッシャ２４のワッシャ基部２４ａの内周縁を上下から挟持する一対の突起３６を形成してもよい。この場合にも、両突部２６間に延出片９，３０を挟持すると共に、両突起３６間にワッシャ基部２４ａを挟持するだけで、シャフト４の回転方向及び軸方向へのスラストワッシャ２４の移動を簡単かつ確実に防止することができ、スラストワッシャ２４をワッシャ基部２４ａのみから成る簡単な構成にすることが可能になる。ここで、突起３６は少なくとも１個あればよく、スラストワッシャ２４のワッシャ基部２４ａの上面が突起３６に当接することにより、スラストワッシャ２４のシャフト４の軸方向への移動を阻止できればよい。
【００６０】
また、第１、第２実施形態の更に異なる変形例として、図１４に示すように、ワッシャ基部２４ａに貫通孔３８を形成し、この貫通孔３８に延出片９，３０を挿通するようにしてもよい。
【００６１】
なお、上記した各実施形態では、回路基板１０にスラストワッシャ２４の屈曲部２４ｂを当接する場合について説明したが、回路基板１０がロータマグネット２１とモータハウジング１との間に介在しない構成のモータの場合には、モータハウジング１のロータマグネット２１との対向位置にスラストワッシャ２４の屈曲部２４ｂを当接させればよく、この場合にも上記した各実施形態と同等の効果を得ることができる。
【００６２】
また、磁気吸引力発生部材は、上記したスラストワッシャ２４のようなリング形状のものに限定されず、モータの構造上ロータマグネットの一部領域にのみシャフトの軸方向へのスラスト力を作用させ、シャフト４を特定角度方向に傾けて振れ回り等を抑制する構造をとる場合には、磁気吸引力発生部材を略円弧状にしても構わない。
【００６３】
更に、上記した各実施形態では、本発明をファンモータに適用した例についてそれぞれ説明したが、本発明の適用範囲はファンモータに限定されるものではなく、滑り軸受を用いたＣＤ−ＲＯＭ等の記録ディスク駆動用モータに対して本発明を適用することができる。更に、上記した各実施形態では、ロータマグネット２１とステータ６との磁気センタが一致した構成を示したが、本発明ではこの磁気センタを一致させることが目的ではなく、一実施形態に過ぎない。それ故に、スラストワッシャ２４に起因するスラスト力のみではロータの振れ回りが抑制できないときは、これに加えて、例えばその磁気センタをずらせてスラスト力を加算するようにしてもよい。
【００６４】
また、本発明は上記した実施形態に限定されるものではなく、その趣旨を逸脱しない限りにおいて上述したもの以外に種々の変更を行うことが可能である。
【００６５】
【発明の効果】
以上のように、請求項１に記載の発明によれば、磁気吸引力発生部材をステータに係止、固定する構造であるため、従来の如く接着剤を用いる場合のような煩雑な取付作業が不要になる。
【００６６】
また、インシュレータを利用して磁気吸引力発生部材を係止、固定することがきるため、係止のための特別な部材、部品を必要とすることもなく、簡単な構成により、シャフトの軸方向への十分なスラスト力をロータマグネットに作用させることが可能になる。更に、合成樹脂から成るインシュレータは可撓性を有するため、係止すると適宜変形し、容易に係止構造をとることができる。
【００６７】
更に、例えばインシュレータの特定部位に被係止部を形成すると共に、磁気吸引力発生部材の特定部位に係止部を形成しておくことで、磁気吸引力発生部材を係止する際に容易に位置合わせすることができて作業の簡素化を図ることができ、しかもインシュレータが合成樹脂製であるため、被係止部を一体成型で形成することができ、被係止部を容易に係止することが可能になる。
【００６８】
また、請求項２に記載の発明によれば、合成樹脂製のインシュレータに形成された延出片に、磁性材から成る磁気吸引力発生部材を係止するため、延出片の可撓性によって磁気吸引力発生部材を簡単かつ強固に係止することが可能になる。
【００６９】
また、請求項３に記載の発明によれば、延出片の幅が先端に向かうに連れて狭くなるように形成されているため、延出片を磁気吸引力発生部材の係止部により強固に挟持でき、シャフトの回転方向及び軸方向への磁気吸引力発生部材の移動を簡単な構成でより確実に防止することが可能になる。
【００７０】
また、請求項４に記載の発明によれば、インシュレータの外周面側に突起または凹溝を形成したため、この突起に磁気吸引力発生部材が当接し、或いは凹溝に磁気吸引力発生部材が嵌挿することで、簡単な構成によりシャフトの軸方向への磁気吸引力発生部材の移動を確実に防止することが可能になる。
【００７１】
また、請求項５に記載の発明によれば、ステータに係止することで磁気吸引力発生部材の回転方向への移動を防止することができ、ステータと固定部材との支持により磁気吸引力発生部材の軸方向への移動を防止することができるため、従来のような接着剤を用いる場合のような煩雑な取付作業が不要になる。
【００７２】
更に、磁気吸引力発生部材の係止部をステータに係止すると共に、磁気吸引力発生部材の基部と屈曲部を、各々ステータと固定部材に当接する支持状態によって磁気吸引力発生部材を固定する構造であるため、磁気吸引力発生部材の取り付けに際して接着剤を用いる場合のような煩雑な取付作業が不要になる。
【００７３】
また、磁気吸引力発生部材の係止部は、少なくともシャフトの回転方向への磁気吸引力発生部材の移動を防止できればよく、係止部の構造は比較的簡単で済む。
【００７４】
また、請求項６に記載の発明によれば、固定部材に代わり、磁気吸引力発生部材がステータと回路基板とに支持される場合であっても、シャフトの回転方向及び軸方向への磁気吸引力発生部材の移動を防止することが可能になる。
【００７５】
また、請求項７に記載の発明によれば、インシュレータを利用して磁気吸引力発生部材の係止部を係止することができるため、係止のための特別な部材、部品を必要とすることなく、簡単な構成により、シャフトの軸方向への十分なスラスト力をロータマグネットに作用させることが可能になる。
【００７６】
また、請求項８に記載の発明によれば、ロータマグネット全体にわたって、シャフトの軸方向へのスラスト力を作用させることが可能になる。
【００７７】
また、請求項９に記載の発明によれば、磁気吸引力発生部材を略円弧状にすることで、モータの仕様上、ロータマグネットの一部領域にのみ、シャフトの軸方向へのスラスト力を作用させる構造をとる場合に、簡単な構成で容易に対応することが可能になる。
【図面の簡単な説明】
【図１】この発明の第１実施形態におけるファンモータの切断正面図である。
【図２】この発明の第１実施形態における一部の底面図である。
【図３】この発明の第１実施形態におけるステータの底面図である。
【図４】この発明の第１実施形態におけるステータの斜視図である。
【図５】この発明の第１実施形態におけるスラストワッシャの平面図である。
【図６】この発明の第１実施形態おけるスラストワッシャの切断正面図である。
【図７】この発明の第２実施形態におけるステータの斜視図である。
【図８】この発明の第２実施形態におけるスラストワッシャの斜視図である。
【図９】この発明の第２実施形態における一部の斜視図である。
【図１０】第２実施形態の変形例の一部の斜視図である。
【図１１】第１、２実施形態の変形例の一部の正面図である。
【図１２】第１、２実施形態の変形例の一部の分解斜視図である。
【図１３】第１、２実施形態の他の変形例の一部の正面図である。
【図１４】第１、２実施形態の異なる変形例の一部の斜視図である。
【符号の説明】
１    モータハウジング（固定部材）
２    支持部
３    滑り軸受
４    シャフト
６    ステータ
６ａ  ステータコア
６ｂ  ステータ巻線
６ｃ  上インシュレータ
６ｄ  下インシュレータ
９，３０  延出片（被係止部）
１０  回路基板
１８  ロータ
２１  ロータマグネット
２４  スラストワッシャ（磁気吸引力発生部材）
２４ｂ  屈曲部
２６  突部
３２  凹状切欠部
３４  凹溝
３６  突起
３８  貫通孔
【図１】
0004701554.tif 000002
【図２】
0004701554.tif 000003
【図３】
0004701554.tif 000004
【図４】
0004701554.tif 000005
【図５】
0004701554.tif 000006
【図６】
0004701554.tif 000007
【図７】
0004701554.tif 000008
【図８】
0004701554.tif 000009
【図９】
0004701554.tif 000010
【図１０】
0004701554.tif 000011
【図１１】
0004701554.tif 000012
【図１２】
0004701554.tif 000013
【図１３】
0004701554.tif 000014
【図１４】
0004701554.tif 000015